【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
複数の地点の実況映像をそれぞれ取得するための実況映像取得手段と、
ユーザー側の通信端末から受信した「ユーザーが希望する実況映像に関する希望データであって、少なくとも『映像又は図に基づいてユーザーが選択すること』により得られた希望データ」に基づいて、「前記希望データに適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項２】
複数の地点の実況映像をそれぞれ取得するための実況映像取得手段と、
ユーザー側の通信端末から受信した「ユーザーが鑑賞もしくは閲覧を希望する実況映像に関するデータであって、映像又は図に基づいて選択されたデータ」に基づいて、「前記選択されたデータに適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項３】
複数の地点の実況映像をそれぞれ取得するための実況映像取得手段と、
ユーザー側の通信端末から受信した「映像又は図に基づいて行われる、ユーザーが鑑賞もしくは閲覧を希望する実況映像に関するユーザーの選択」に基づいて、「前記ユーザーの選択に適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項４】
複数の地点の実況映像をそれぞれ取得するための実況映像取得手段と、
ユーザー側の通信端末から受信した「ユーザーが希望する実況映像であって映像又は図に基づいてユーザーが選択した実況映像、に関するデータ」に基づいて、「前記ユーザーの選択に適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項５】
複数の地点の実況映像をそれぞれ取得するための実況映像取得手段と、
ユーザー側の通信端末から受信した「映像又は図に基づいてユーザーが選択した、ユーザーが希望する実況映像に関するデータ」に基づいて、「前記ユーザーの選択に適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項６】
複数の地点の実況映像をそれぞれ取得するための実況映像取得手段と、
ユーザー側の通信端末から受信した「ユーザーが希望する実況映像に関する希望データであって、少なくとも『映像又は図に基づいてユーザーが選択すること』により得られた希望データ」に基づいて、「前記希望データに適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項７】
複数の地点の実況映像をそれぞれ取得するための実況映像取得手段と、
ユーザー側の通信端末から受信した「ユーザーが鑑賞もしくは閲覧を希望する実況映像に関するデータであって、映像又は図に基づいて選択されたデータ」に基づいて、「前記選択されたデータに適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項８】
複数の地点の実況映像をそれぞれ取得するための実況映像取得手段と、
ユーザー側の通信端末から受信した「映像又は図に基づいて行われる、ユーザーが鑑賞もしくは閲覧を希望する実況映像に関するユーザーの選択」に基づいて、「前記ユーザーの選択に適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項９】
複数の地点の実況映像をそれぞれ取得するための実況映像取得手段と、
ユーザー側の通信端末から受信した「ユーザーが希望する実況映像であって映像又は図に基づいてユーザーが選択した実況映像、に関するデータ」に基づいて、「前記ユーザーの選択に適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項１０】
複数の地点の実況映像をそれぞれ取得するための実況映像取得手段と、
ユーザー側の通信端末から受信した「映像又は図に基づいてユーザーが選択した、ユーザーが希望する実況映像に関するデータ」に基づいて、「前記ユーザーの選択に適合する、１つ若しくは複数の地点」を抽出もしくは特定するための地点特定手段と、
前記地点特定手段により抽出もしくは特定された地点の実況映像であって前記実況映像取得手段により取得される実況映像を、ユーザー側に略リアルタイムに表示させるために、オンラインで略リアルタイムにユーザー側の通信端末に送信するための実況映像送信手段と、
を少なくとも含むことを特徴とする、バーチャルトラベルなどのために使用するのに適した実況映像を視させる装置。
【請求項１１】
複数の地点の実況映像をそれぞれ取得するための実況映像取得手段と、
ユーザー側から受信した「ユーザーが希望する実況映像に関する希望データであって、少なくとも映像もしくは画像又は図に基づいてユーザーにより選択された希望データ」に基づいて、「前記希望データに適合する、複数の地点と前記各地点間の順序とを要素とする、一つ又は複数のコース」を決定するためのコース決定手段と、
前記コース決定手段により決定された前記コースに含まれる複数の地点の実況映像であって前記実況映像取得手段により取得される実況映像を、前記順序に従ってユーザー側に略リアルタイムに表示させるために、前記順序に従って順次、オンラインで略リアルタイムにユーザー側に送信するための実況映像送信手段と、
を少なくとも含むことを特徴とする、バーチャルトラベルなどのために使用するのに適した実況映像を視させる装置。
【請求項１２】
一つ若しくは複数の乗り物に備えられ、移動中の乗り物から見える周囲の実況映像を取得するための実況映像取得手段と、
ユーザー側からの「ユーザーが希望する『乗り物から見える実況映像』に関する希望データであって、少なくとも映像もしくは画像又は図に基づいてユーザーにより選択された希望データ」を受信又は入力するための希望データ受信・入力手段と、
前記希望データ受信・入力手段により受信又は入力された希望データに基づいて、前記希望データに適合する「一つ若しくは複数の乗り物」又は「一つ若しくは複数の乗り物から見える実況映像」を、決定するためのコース決定手段と、
前記コース決定手段により決定された「一つ若しくは複数の乗り物」から見える実況映像又は前記コース決定手段により決定された「一つ若しくは複数の乗り物から見える実況映像」であって前記実況映像取得手段により取得される実況映像を、略リアルタイムにユーザー側に表示させるために、オンラインで略リアルタイムにユーザー側に送信するための実況映像送信手段と、
を少なくとも含むことを特徴とする、バーチャルトラベルなどのために使用するのに適した実況映像を視させる装置。
【請求項１３】
一つ若しくは複数の乗り物に備えられ、一つ又は複数の移動中の乗り物から見える周囲の実況映像を取得するための実況映像取得手段と、
ユーザー側から受信した「ユーザーが希望する実況映像に関する希望データであって、少なくとも映像もしくは画像又は図に基づいてユーザーにより選択された希望データ」に基づいて、「前記希望データに適合する、（ａ）一つ若しくは複数の乗り物と（ｂ）一つ若しくは複数の乗り物の移動区間とを要素とする、一つ又は複数のコース」を決定するためのコース決定手段と、
前記コース決定手段により決定された前記コースに含まれる前記移動区間を移動中の前記乗り物から見える実況映像であって前記実況映像取得手段により取得される実況映像を、ユーザー側に略リアルタイムに表示させるために、オンラインで略リアルタイムにユーザー側に送信するための実況映像送信手段と、
を少なくとも含むことを特徴とする、バーチャルトラベルなどのために使用するのに適した実況映像を視させる装置。
【請求項１４】
複数の地点の実況映像をそれぞれ取得するための第１の実況映像取得手段と、
一つ若しくは複数の乗り物に備えられ、一つ又は複数の移動中の乗り物から見える周囲の実況映像を取得するための第２の実況映像取得手段と、
ユーザー側から受信した「ユーザーが希望する実況映像に関する希望データであって、少なくとも映像もしくは画像又は図に基づいてユーザーにより選択された希望データ」に基づいて、「前記希望データに適合する、（ａ）複数の地点、（ｂ）前記各地点間の順序、及び、（ｃ）前記順序に対応する乗り物及びその移動区間、を要素とする、一つ又は複数のコース」を決定するためのコース決定手段と、
前記コース決定手段により決定された前記コースに含まれる複数の地点から及び前記コース決定手段により決定された前記コースに含まれる乗り物から見える実況映像であって、前記第１及び第２の実況映像取得手段により取得された実況映像を、前記（ｂ）の順序に従ってユーザー側に略リアルタイムに表示させるために、前記（ｂ）の順序に従って順次、オンラインで略リアルタイムにユーザー側に送信するための実況映像送信手段と、
を少なくとも含むことを特徴とする、バーチャルトラベルなどのために使用するのに適した実況映像を視させる装置。
【請求項１５】
「複数の地点の実況映像」に関しての、ユーザーの「少なくとも映像もしくは画像又は図に基づいてユーザーにより選択された希望データ」を、実況映像提供側に対して送信又は入力するための希望データ送信・入力手段と、
前記希望データに適合する「複数の地点と前記各地点間の順序とを要素とする、一つ又は複数のコース」に含まれる複数の地点の実況映像であって実況映像取得手段により取得される実況映像を、実況映像提供側から、前記順序に従って順次、オンラインで略リアルタイムに受信するための実況映像受信手段と、
前記実況映像受信手段により受信された実況映像を、前記順序に従って順次、略リアルタイムにユーザー側に表示するための実況映像表示手段と、
を少なくとも含むことを特徴とする、バーチャルトラベルなどのために使用するのに適した実況映像を視させる装置。
【請求項１６】
「一つの乗り物から若しくは複数の乗り物からそれぞれ周囲を撮像して得られる、一つ又は複数の移動中の乗り物から見える周囲の実況映像」に関しての、ユーザーの「少なくとも映像もしくは画像又は図に基づいてユーザーにより選択された希望データ」を、実況映像提供側に対して送信又は入力するための希望データ送信・入力手段と、
前記希望データに適合する「一つ若しくは複数の乗り物から見える実況映像」を、実況映像提供側から、オンラインで略リアルタイムに受信するための実況映像受信手段と、
前記実況映像受信手段により受信された実況映像を略リアルタイムにユーザー側に表示するための実況映像表示手段と、
を少なくとも含むことを特徴とする、バーチャルトラベルなどのために使用するのに適した実況映像を視させる装置。